(57)【要約】【課題】利用者にとって利便性に優れた外部記録媒体差込口を持つ複合機を提供する。【解決手段】本体の手前側上端付近に設けられた操作パネルにおいて利用者がタッチするタッチ領域よりも高い位置に外部記録媒体差込口を備える。【選択図】図１
2020138330.tif 000002
【特許請求の範囲】
【請求項１】
本体の手前側上端付近に設けられた操作パネルにおいて利用者がタッチするタッチ領域よりも高い位置に外部記録媒体差込口を備えることを特徴とする複合機。
【請求項２】
本体の手前側上端付近に設けられた操作パネルよりも高い位置に外部記録媒体差込口を備えることを特徴とする複合機。
【請求項３】
請求項１又は２に記載の複合機であって、
本体の上側正面パネルに外部記録媒体差込口を備えることを特徴とする複合機。
【請求項４】
請求項３に記載の複合機であって、前記外部記録媒体差込口は、本体を正面から見て操作パネルが取り付けられている左右方向の側に対して反対の側に備えられることを特徴とする複合機。
【請求項５】
請求項４に記載の複合機であって、本体を正面から見て操作パネルが取り付けられている左右方向の側に対して反対の側には前記外部記録媒体差込口以外の差込口及び操作ボタンが備えられていないことを特徴とする複合機。
【請求項６】
請求項３に記載の複合機であって、前記外部記録媒体差込口は、本体を正面から見て自動給紙装置の取っ手の位置を基準にして操作パネルが取り付けられている左右方向の側に対して反対の側に備えられることを特徴とする複合機。
【請求項７】
請求項６に記載の複合機であって、本体を正面から見て自動給紙装置の取っ手の位置を基準にして操作パネルが取り付けられている左右方向の側に対して反対の側には前記外部記録媒体差込口以外の差込口及び操作ボタンが備えられていないことを特徴とする複合機。
【請求項８】
本体の手前側上端付近に設けられた操作パネルにおいて利用者がタッチするタッチ領域よりも奥側の位置に外部記録媒体差込口を備えることを特徴とする複合機。
【請求項９】
本体の手前側上端付近に設けられた操作パネルよりも奥側の位置に外部記録媒体差込口を備えることを特徴とする複合機。
【請求項１０】
請求項１乃至９の何れか１項に記載の複合機であって、
前記外部記録媒体差込口は、上方又は斜め上方に口を開けていることを特徴とする複合機。
【請求項１１】
本体筐体に設けられた凸部に外部記録媒体差込口を備えることを特徴とする複合機。
【請求項１２】
本体筐体に設けられた凹部に外部記録媒体差込口を備えることを特徴とする複合機。
【請求項１３】
請求項１乃至１２の何れか１項に記載の複合機であって、
前記操作パネルの前縁及び側縁の色と同一の色の縁により前記外部記録媒体差込口が囲まれていることを特徴とする複合機。
【請求項１４】
請求項１３に記載の複合機であって、
前記操作パネルの前縁及び側縁の色は、前記操作パネルの操作面の色とは異なることを特徴とする複合機。
【請求項１５】
請求項１乃至１２の何れか１項に記載の複合機であって、
前記操作パネルの前縁及び側縁の色とは異なった色の縁により前記外部記録媒体差込口が囲まれていることを特徴とする複合機。
【請求項１６】
請求項１５に記載の複合機であって、
前記メモリカードを囲む縁の色は、前記操作パネルの操作面の色とも異なることを特徴とする複合機。
【発明の詳細な説明】
【技術分野】
【０００１】
本発明は、複合機に関する。
【背景技術】
【０００２】
複合機とは、画像読取装置、画像形成装置、ファクシミリ送受信装置、記憶装置などを備え、画像読取り、画像印刷、画像複写、画像送信などをすることができる装置のことである。そして、ある程度の割合の複合機は、ＵＳＢ(Universal Serial Bus)メモリ差込口などの外部記録媒体差込口を有する。複合機は、ＵＳＢ差込口に挿入されたＵＳＢメモリから、画像データファイル、文書ファイルなどを読み込み、それらをもとに画像や文書の印刷をすることができる。
【先行技術文献】
【特許文献】
【０００３】
【特許文献１】特許第４２３３２９３号公報
【発明の概要】
【発明が解決しようとする課題】
【０００４】
ところで、通常は、ＵＳＢ差込口は、操作パネルの近くに配置されている。特許文献１の図２には、ＵＳＢ差込口が操作パネルにすぐ右側に隣接して配置されている例が示されている。このため、利用者にとってみると操作パネルを操作する時に、腕や手がＵＳＢ差込口や、これに挿入されているＵＳＢメモリに当たらないようにするために、配慮する必要があり、これが不便であった。また、実際に、当たってしまうと、ＵＳＢメモリやＵＳＢ差込口が破損してしまう可能性があった。更に、ＵＳＢ差込口の金属部分が露出されているため、本体に当たらないように作業するために不便性があり、破損の危険性があった。さらに金属部分が露出されているために、実際に腕や手がＵＳＢ差込口に当たってしまうと、静電気や放電により、利用者がダメージを受けてしまう可能性もあった。
【０００５】
なお、これは、ＵＳＢ差込口に限ったことではなく、ＳＤカードメモリ差込口、コンパクトフラッシュ（登録商標）メモリ差込口、マルチメディアメモリカード差込口などの他の種類の外部記録媒体差込口についても同様なことである。
【０００６】
そこで、本発明は、利用者にとって利便性に優れたメモリカード差込口を持つ複合機を提供することを目的とする。
【課題を解決するための手段】
【０００７】
本発明によれば、本体の手前側上端付近に設けられた操作パネルにおいて利用者がタッチするタッチ領域よりも高い位置に外部記録媒体差込口を備えることを特徴とする複合機が提供される。
【０００８】
また、本発明によれば、本体の手前側上端付近に設けられた操作パネルよりも高い位置に外部記録媒体差込口を備えることを特徴とする複合機が提供される。
【０００９】
更に、本発明によれば、本体の手前側上端付近に設けられた操作パネルにおいて利用者がタッチするタッチ領域よりも奥側の位置に外部記録媒体差込口を備えることを特徴とする複合機が提供される。
【００１０】
更に、本発明によれば、本体の手前側上端付近に設けられた操作パネルよりも奥側の位置に外部記録媒体差込口を備えることを特徴とする複合機が提供される。
【００１１】
更に、本発明によれば、本体筐体に設けられた凸部に外部記録媒体差込口を備えることを特徴とする複合機が提供される。
【００１２】
更に、本発明によれば、本体筐体に設けられた凹部に外部記録媒体差込口を備えることを特徴とする複合機が提供される。
【発明の効果】
【００１３】
本発明によれば、外部記録媒体差込口が、利用者にとって利便性が優れるようになる。
【図面の簡単な説明】
【００１４】
【図１】本発明の第１の実施の形態による複合機の構成を示す正面図、上面図及び右側面図である。
【図２】本発明の第１の実施の形態による複合機の操作パネル部の構成を示す平面図である。
【図３】本発明の第１の実施の形態による複合機の操作パネル部の他の構成を示す平面図である。
【図４】本発明の第２の実施の形態による複合機の構成を示す正面図、上面図及び右側面図である。
【図５】本発明の第２の実施の形態による複合機の操作パネル部付近の構成を示す平面図である。
【図６】本発明の第２の実施の形態による複合機の操作パネル部付近の他の構成を示す平面図である。
【図７】本発明の第３の実施の形態による複合機の構成を示す正面図、上面図及び右側面図である。
【図８】本発明の第３の実施の形態による複合機の他の構成を示す正面図、上面図及び右側面図である。
【図９】本発明の第４の実施の形態による複合機の構成を示す正面図、上面図及び右側面図である。
【図１０】本発明の第４の実施の形態による複合機の他の構成を示す正面図、上面図及び右側面図である。
【図１１】本発明の第４の実施の形態による複合機の更に他の構成を示す正面図、上面図及び右側面図である。
【図１２】本発明の第５の実施の形態による複合機の構成を示す正面図、上面図及び右側面図である。
【図１３】本発明の第５の実施の形態による複合機の他の構成を示す正面図、上面図及び右側面図である。
【図１４】本発明の第６の実施の形態による複合機の構成を示す正面図、上面図及び右側面図である。
【図１５】本発明の第７の実施の形態による複合機の構成を示す正面図、上面図及び右側面図である。
【図１６】本発明の第８の実施の形態による複合機の操作パネルの構成を示す正面図、左側面図及び平面図並びにＵＳＢ差込口付近の模式図である。
【図１７】本発明の第９の実施の形態による複合機の操作パネルの他の構成を示す正面図、左側面図及び平面図並びに他のＵＳＢ差込口付近の模式図である。
【図１８】本発明の第１０の実施の形態による複合機の構成を示す正面図、上面図及び左7側面図である。
【図１９】本発明の第１０の実施の形態による複合機の他の構成を示す正面図、上面図及び左側面図である。
【図２０】本発明の第１１の実施の形態による複合機の構成を示す正面図、上面図及び右側面図である。
【図２１】本発明の第１２の実施の形態による複合機の構成を示す正面図、上面図及び右側面図である。
【図２２】本発明の第１３の実施の形態による複合機の概念的断面図である。
【図２３】本発明の第１３の実施の形態による複合機の機能ブロック図である。
【発明を実施するための形態】
【００１５】
以下、図面を参照して本発明を実施するための形態について詳細に説明する。
【００１６】
［第１の実施の形態］
第１の実施の形態では、図１に示すように、本体８３０の前面右側最上方に操作パネル部８４３が設けられている。また、図２に示すように、操作パネル８４３には、タッチパネル３００と入力用ボタン３１１が配設されている。また、タッチパネル３０には、表示領域３０１とタッチ領域３０２が設けられている。図２の例では、表示領域３０１の外縁付近を除いた部分にタッチ領域３０２が設けられているが、表示領域３０１とタッチ領域３０２が同一であってもよいし、図２の例とは逆に、タッチ領域３０２の外縁付近を除いた部分に表示領域３０１が設けられていてもよい。表示領域３０１とタッチ領域３０２のこのような関係は他の実施形態でも同様である。
【００１７】
また、図２に示すように、ＵＳＢ差込口３２１が操作パネル８４３のタッチ領域３０２よりも上方の位置に設けられている。
【００１８】
ＵＳＢ差込口３２１の位置は、操作パネル８４３のタッチ領域３０２よりも上方にあればよく、例えば、図３に示すようであってもよい。
【００１９】
なお、ＵＳＢ差込口３２１を、ＳＤカードメモリ差込口、コンパクトフラッシュメモリ差込口、マルチメディアメモリカード差込口などの他の種類のメモリカード差込口に置き換えてもよい。
【００２０】
本実施形態によれば、複合機の正面、且つ操作パネルとは離れた位置にＵＳＢ差込口を配置することにより従来の不具合が解消される。さらに、操作パネルより高い位置にＵＳＢ差込口が配置されることで、目に届きやすく、ユーザの操作性も損なわない。
【００２１】
なお、操作パネル８４３は、その上端辺付近にある回転軸８５１を支点にして上側正面パネル８３１の上端付近に取り付けられている。従って、利用者は、操作パネル８４３を正面に向かせたり、斜め情報を向かせたり、上方を向かせたりする事が可能である。なお、上側正面パネル８３１とは、本体の正面のうち上端部から所定範囲を占めるパネルのことである。上端部付近を占めていればよく、その範囲が下方まで延びていてもよい。
【００２２】
［第２の実施の形態］
第２の実施の形態では、図４に示すように、本体８３０の前面右側上方付近に操作パネル部８４３が設けられている。また、図５に示すように、操作パネル８４３には、タッチパネル３００と入力用ボタン３１１が配設されている。また、タッチパネル３０には、表示領域３０１とタッチ領域３０２が設けられている。
【００２３】
また、図４及び図５に示すように、ＵＳＢ差込口３２１が操作パネル８４３よりも上方の位置に設けられている。
【００２４】
ＵＳＢ差込口３２１の位置は、操作パネル８４３よりも上方にあればよく、例えば、図６に示すようであってもよい。
【００２５】
［第３の実施の形態］
第３の実施の形態では、図７に示すように、本体８３０の前面右側最上方に操作パネル部８４３が設けられている。また、図７に示すように、本体８３０の上側正面パネル８３１の幅方向でみて中央付近にＵＳＢ差込口３２１が配設されている。
【００２６】
ＵＳＢ差込口３２１の位置は、操作パネル８３１に設けられたタッチパネル３００のタッチ領域３０２より上である。
【００２７】
また、図８に示すように、第２の実施の形態と同様に、操作パネル８４３の位置を第１の実施の形態と比較して少し下にずらし、操作パネル８４３よりもＵＳＢ差込口３２１が上方にあるようにしてもよい。この場合も、本体８３０の上側正面パネル８３１の幅方向でみて中央付近にＵＳＢ差込口３２１が配設されている。
【００２８】
［第４の実施の形態］
第４の実施の形態では、図９に示すように、本体８３０の前面右側最上方に操作パネル部８４３が設けられている。また、図９に示すように、本体８３０の上側正面パネル８３１の左端付近にＵＳＢ差込口３２１が配設されている。
【００２９】
ＵＳＢ差込口３２１の位置は、本体８３０の上側正面パネル８３１の中央よりも左側にあればよく、例えば、図１０に示すようであってもよい。
【００３０】
図１１に示すように、操作パネル８４３が本体８３０の前面左側最上方に設けられているならば、ＵＳＢ差込口３２１の位置は、本体８３０の上側正面パネル８３１の中央よりも右側にあればよい。
【００３１】
図９乃至図１１に示す何れの例においても、ＵＳＢ差込口３２１の位置は、操作パネル８３１に設けられたタッチパネル３００のタッチ領域３０２より上である。
【００３２】
図９及び図１０に示す例においては、操作パネル８４３が本体８３０の正面から見て右側にあり、ＵＳＢ差込口３２１が左側にあるが、本体８３０の上側正面パネル８３１の左側には、ＵＳＢ差込口３２１以外の差込口がなくてもよい。また、ボタンが設けられていなくてもよい。
【００３３】
図１１に示す例においては、操作パネル８４３が本体８３０の正面から見て左側にあり、ＵＳＢ差込口３２１が右側にあるが、本体８３０の上側正面パネル８３１の右側には、ＵＳＢ差込口３２１以外の差込口がなくてもよい。また、ボタンが設けられていなくてもよい。
【００３４】
また、図示しないが、第２の実施の形態と同様に、操作パネル８４３の位置を第１の実施の形態と比較して少し下にずらし、操作パネル８４３よりもＵＳＢ差込口３２１が上方にあるようにしてもよい。この場合も、本体８３０の上側正面パネル８３１の幅方向でみてＵＳＢ差込口３２１は、操作パネル８４３の反対側に設置される。
【００３５】
［第５の実施の形態］
第５の実施の形態では、図１２に示すように、原稿自動給送部ＳＰＦ(Single Pass Feeder)８２４に設けられた取っ手３２３を左右方向の中心としてみた場合、そこから右側に操作パネル８４３が設けられ、左側にＵＳＢ差込口３２１が設けられている。
【００３６】
図１３に示すように、原稿自動給送部ＳＰＦ８２４に設けられた取っ手３２３を左右方向の中心としてみた場合、そこから左側に操作パネル８４３が設けられ、右側にＵＳＢ差込口３２１が設けられているようにしてもよい。
【００３７】
なお、図１２に示す何れの例においても、ＵＳＢ差込口３２１の位置は、操作パネル８３１に設けられたタッチパネル３００のタッチ領域３０２より上である。
【００３８】
また、図示しないが、第２の実施の形態と同様に、操作パネル８４３の位置を第１の実施の形態と比較して少し下にずらし、操作パネル８４３よりもＵＳＢ差込口３２１が上方にあるようにしてもよい。この場合も、原稿自動給送部ＳＰＦ８２４に設けられた取っ手３２３を左右方向の中心としてみた場合、そこから右側に操作パネル８４３が設けられ、左側にＵＳＢ差込口３２１が設けられている。原稿自動給送部ＳＰＦ８２４に設けられた取っ手３２３を左右方向の中心としてみた場合、そこから左側に操作パネル８４３が設けられ、右側にＵＳＢ差込口３２１が設けられているようにしてもよい。
【００３９】
［第６の実施の形態］
第６の実施の形態では、操作パネル部８４３を上方を向くようにする。第１の実施の形態においては、操作パネル部４４３は斜め上方を向くので、図２に示すように操作パネル部８４３に設けられたＵＳＢ差込口３２１は、タッチ領域３０２に対して、上方且つ奥側の位置に存在することになるが、第６の実施の形態では、操作パネル部４４３は上方を向くので、図１４に示すように操作パネル部８４３に設けられたＵＳＢ差込口３２１は、タッチ領域３０２に対して、同一水平方向且つ奥側の位置に存在することになる
［第７の実施の形態］
第７の実施の形態では、図１５に示すように、ＵＳＢ差込口３２１を操作パネル部８４３よりも本体奥側方向に設ける。
【００４０】
第７の実施形態では、第４の実施の形態とは異なり、本体８３０の中央からみて、操作パネル部８４３に対して、ＵＳＢ差込口３２１を反対側に設ける必要がない。つまり、第７の実施形態では、本体８３０の中央からみて、操作パネル部８４３に対して、ＵＳＢ差込口３２１を同一側に設けるだけでよい。
【００４１】
但し、図示しないが、本体８３０の中央からみて、操作パネル部８４３に対して、ＵＳＢ差込口３２１を反対側に設けてもよい。
【００４２】
また、第７の実施の形態では、第５の実施の形態とは異なり、原稿自動給送部ＳＰＦ８２４に設けられた取っ手３２３を左右方向の中心としてみた場合、操作パネル部８４３に対して、ＵＳＢ差込口３２１を反対側に設ける必要がない。つまり、第７の実施形態では、原稿自動給送部ＳＰＦ８２４に設けられた取っ手３２３を左右方向の中心としてみた場合、操作パネル部８４３に対して、ＵＳＢ差込口３２１を同一側に設けるだけでよい。
【００４３】
但し、図示しないが、原稿自動給送部ＳＰＦ８２４に設けられた取っ手３２３を左右方向の中心としてみた場合、操作パネル部８４３に対して、ＵＳＢ差込口３２１を反対側に設けてもよい。
【００４４】
［第８の実施の形態］
第１乃至第７の何れかの実施の形態において、ＵＳＢ差込口３２１の周辺部３２５の色を、図１６に示すように、操作パネル部８４３の前縁及び側縁の色と同一にする。
【００４５】
この場合、操作パネル部８４３のタッチパネル３００以外の操作面８４３ａの色に対して、前縁及び側縁の色を、異ならせることが好ましい。この場合、操作パネル部８４３の操作面８４３ａの色に対して、ＵＳＢ差込口３２１の周辺部３２５の色も異なることになる。
【００４６】
［第９の実施の形態］
第１乃至第７の何れかの形態において、ＵＳＢ差込口３２１の周辺部３２５の色を、図１７に示すように、操作パネル部８４３の前縁及び側縁の色と異なった色にする。
【００４７】
この場合、操作パネル８４３のタッチパネル３００以外の操作面の色に対しても、ＵＳＢ差込口３２１の周辺部３２５の色を異ならせることが好ましい。
【００４８】
［第１０の実施の形態］
第１０の実施の形態においては、ＵＳＢ差込口３２１が上方に開口部を有する。
【００４９】
例えば、図８に示す第７の実施の形態においては、ＵＳＢ差込口３２１は前方に開口部を有するが、第１０の実施の形態においては、図１８に示すように、ＵＳＢ差込口３２１は上方に開口部を有する。
【００５０】
このためには、例えば、図１８に示すようにＵＳＢメモリを縦方向に挿入することができるＵＳＢ収納部３２７を設ける。
【００５１】
なお、図１８に示すように、ＵＳＢ差込口３２１は、操作パネル３００のタッチ領域３０２よりも上方にある。
【００５２】
なお、図１８に示す例においては、ＵＳＢ収納部３２７は鉛直方向に伸び、ＵＳＢ差込口３２１は真上を向いているが、図１９に示すように、ＵＳＢ収納部３２７は本体の横から見て本体の奥側下方向から手前上方向に向かうように斜め方向に伸び、ＵＳＢ差込口３２１は開口部が正面から臨めるように斜め上方向を向くようにしてもよい。
【００５３】
［第１１の実施の形態］
第１１の実施の形態においては、図２０に示すように、本体８３０の上面には、２つの凸部３２９とこれらに挟まれた１つの凹部３３１が備わる。
【００５４】
そして、ＵＳＢ差込口３２１は、凹部３３１に設置される。
【００５５】
［第１２の実施の形態］
第１２の実施の形態においては、図２１に示すように、本体８３０の上面には、２つの凸部３２９とこれらに挟まれた１つの凹部３３１が備わる。
【００５６】
そして、ＵＳＢ差込口３２１は、凸部３２９に設置される。
【００５７】
［第１３の実施の形態］
第１３の実施の形態は、第１乃至第１２の実施の形態による原稿読取装置を含む複合機８００に関するものである。図２２及び図２３は、複合機８００の構成などを示すものである。
【００５８】
図２２及び図２３に示すように、複合機８００は、原稿の画像を読み取る原稿読取装置８２０と、シートに画像を形成する複合機本体（画像形成部本体）８３０と、原稿読取装置８２０及び複合機本体８３０を操作するための操作パネル部８４３と、操作パネル部８４３による操作に基づいて原稿読取装置８２０及び複合機本体８３０を制御する演算処理部８４１と、を備えている。
【００５９】
画像読取りのために原稿読取装置８２０を単体で用いること、画像形成のために複合機本体８３０を単体で用いることの他に、画像を複写するためにこれらを連動させることもできる。また、複合機８００は図示しない記憶装置及びファクシミリ装置を含んでいてもよい。記憶装置は、原稿読取装置８２０により読み取られた画像やファクシミリ装置により受信した画像を格納することができる。ファクシミリ装置は、原稿読取装置８２０により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【００６０】
原稿読取装置８２０は、原稿を自動給送する原稿自動給送部ＳＰＦ(Single Pass Feeder)８２４と、原稿の画像を読み取る読取装置本体８２２と、を備えている。なお、原稿読取装置８２０は、図２３に示す構成要素の他に、図２３は示されないが図２２に示される構成要素も含む。また、図２２に示すように、読取装置本体８２２には、原稿台８２６が備わる。
【００６１】
複合機本体８３０は、シートを給送するシート給送部１０と、シートを手差し給送可能な手差し給送部２０と、シート給送部１０又は手差し給送部２０により給送されるシートに画像を形成する画像形成部３０と、を備えている。
【００６２】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００６３】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体８３０に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００６４】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【００６５】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【００６６】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナ７４３Ｙと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【００６７】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【００６８】
操作パネル部８４３は、所定の情報を表示する表示部８４５と、利用者が原稿読取装置８２０及び複合機本体８３０への指示を入力する入力部８４７と、を備えている。本実施形態においては、操作パネル部８４３は、読取装置本体８２２の正面側に配設されている。なお、正面側は図２２の紙面の手前側に対応し、裏面側は図２２の背面側に対応する。
【００６９】
表示部８４５は、タッチパネル３００の表示領域３０２を含んでいる。また、表示部８４５は、他の表示領域を含んでいてもよい。
【００７０】
入力部８４７は、タッチパネル３００のタッチ領域３０１を含んでいる。また、入力部８４７は、入力ボタンなどを含んでいてもよい。
【００７１】
図２３に示すように、演算処理部８４１は、シート給送部１０、手差し給送部２０、画像形成部３０及び原稿読取装置８２０を駆動制御するＣＰＵ８４１ａと、ＣＰＵ８４１ａを動作させるための各種プログラムとＣＰＵ８４１ａが用いる各種情報等を記憶するメモリ８４１ｂと、を備えている。演算処理部８４１は、利用者による操作パネル部８４３への操作に基づいて、シート給送部１０、手差し給送部２０、画像形成部３０及び原稿読取装置８２０の動作を統合して制御し、シートに画像を形成させる。
【００７２】
次に、上述のように構成された複合機８００による画像形成動作（演算処理部８４１による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【００７３】
利用者による操作パネル部８４３の入力部８４７への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【００７４】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｋにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【００７５】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【００７６】
トナー像が転写されたシートは、定着部３４で加熱・加圧されることでトナー像が溶融定着され、排出ローラ対１８により装置外に排出される。装置外に排出されたシートは、排出シート積載部１９に積載される。
【００７７】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【００７８】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【００７９】
本発明は、複合機に利用することができる。また、本発明は、ＵＳＢ差込口を有する機器に利用することができる。
【符号の説明】
【００８０】
３００  タッチパネル
３０１  表示領域
３０２  タッチ領域
３２１  ＵＳＢ差込口
８４３  操作パネル部
【図１】
2020138330.tif 000003
【図２】
2020138330.tif 000004
【図３】
2020138330.tif 000005
【図４】
2020138330.tif 000006
【図５】
2020138330.tif 000007
【図６】
2020138330.tif 000008
【図７】
2020138330.tif 000009
【図８】
2020138330.tif 000010
【図９】
2020138330.tif 000011
【図１０】
2020138330.tif 000012
【図１１】
2020138330.tif 000013
【図１２】
2020138330.tif 000014
【図１３】
2020138330.tif 000015
【図１４】
2020138330.tif 000016
【図１５】
2020138330.tif 000017
【図１６】
2020138330.tif 000018
【図１７】
2020138330.tif 000019
【図１８】
2020138330.tif 000020
【図１９】
2020138330.tif 000021
【図２０】
2020138330.tif 000022
【図２１】
2020138330.tif 000023
【図２２】
2020138330.tif 000024
【図２３】
2020138330.tif 000025